(57)【要約】【課題】予め行われる各ＯＮＵへの個体番号の設定を不要とする光通信システムを提供する。【解決手段】ＯＮＵ下りメッセージ終端部２３１はＯＬＴからの下りメッセージを終端し、個体番号自動発生部２３２はＯＬＴからの指示に応答して個体番号をランダムに発生させる。個体番号保持部２３４は個体番号自動発生部２３２で発生した個体番号を保持し、個体番号応答部２３３は個体番号保持部２３４にある個体番号をＯＬＴに応答する制御を行う。ＯＮＵ上りメッセージ生成部２３５はＯＬＴに上りメッセージを出力する。【選択図】　　　図４
2004056237.tif 000002
【特許請求の範囲】
【請求項１】
ＯＬＴ（Ｏｐｔｉｃａｌ　Ｌｉｎｅ　Ｔｅｒｍｉｎａｌ）と複数のＯＮＵ（Ｏｐｔｉｃａｌ　Ｎｅｔｗｏｒｋ　Ｕｎｉｔ）とが光ファイバを介して接続される光通信システムであって、個体番号をランダムに発生する手段と、前記個体番号を前記ＯＬＴに送信する手段とを前記複数のＯＮＵ各々に有することを特徴とする光通信システム。
【請求項２】
前記個体番号をバイナリサーチにて取得するための応答指示を前記複数のＯＮＵ各々に送信する手段と、前記複数のＯＮＵ各々からの個体番号に同じ個体番号のものがある時に前記複数のＯＮＵ各々の個体番号の変更指示を前記複数のＯＮＵ各々に送信する手段とを前記ＯＬＴに含み、
前記複数のＯＮＵ各々は、前記変更指示に応答して前記個体番号をランダムに発生することを特徴とする請求項１記載の光通信システム。
【請求項３】
前記個体番号をバイナリサーチにて取得するための応答指示を前記複数のＯＮＵ各々に送信する手段と、前記複数のＯＮＵ各々からの個体番号に同じ個体番号のものがある時に前記複数のＯＮＵ各々の個体番号の変更指示と現在使用中の個体番号とを前記複数のＯＮＵ各々に送信する手段とを前記ＯＬＴに含み、
前記複数のＯＮＵ各々は、前記変更指示に応答して設定可能な個体番号の中からランダムに個体番号を選択することを特徴とする請求項１記載の光通信システム。
【請求項４】
ＯＬＴ（Ｏｐｔｉｃａｌ　Ｌｉｎｅ　Ｔｅｒｍｉｎａｌ）と複数のＯＮＵ（Ｏｐｔｉｃａｌ　Ｎｅｔｗｏｒｋ　Ｕｎｉｔ）とが光ファイバを介して接続される光通信システムの個体番号自動変更方法であって、個体番号をランダムに発生するステップと、前記個体番号を前記ＯＬＴに送信するステップとを前記複数のＯＮＵ各々に有することを特徴とする個体番号自動変更方法。
【請求項５】
前記個体番号をバイナリサーチにて取得するための応答指示を前記複数のＯＮＵ各々に送信するステップと、前記複数のＯＮＵ各々からの個体番号に同じ個体番号のものがある時に前記複数のＯＮＵ各々の個体番号の変更指示を前記複数のＯＮＵ各々に送信するステップとを前記ＯＬＴに含み、
前記複数のＯＮＵ各々は、前記変更指示に応答して前記個体番号をランダムに発生することを特徴とする請求項４記載の個体番号自動変更方法。
【請求項６】
前記個体番号をバイナリサーチにて取得するための応答指示を前記複数のＯＮＵ各々に送信するステップと、前記複数のＯＮＵ各々からの個体番号に同じ個体番号のものがある時に前記複数のＯＮＵ各々の個体番号の変更指示と現在使用中の個体番号とを前記複数のＯＮＵ各々に送信するステップとを前記ＯＬＴに含み、
前記複数のＯＮＵ各々は、前記変更指示に応答して設定可能な個体番号の中からランダムに個体番号を選択することを特徴とする請求項４記載の個体番号自動変更方法。
【発明の詳細な説明】
【０００１】
【発明の属する技術分野】
本発明は光通信システム及びそれに用いる個体番号自動変更方法に関し、特に光通信システムを構成する各ＯＮＵ（Ｏｐｔｉｃａｌ　Ｎｅｔｗｏｒｋ　Ｕｎｉｔ）への個体番号の設定方法に関する。
【０００２】
【従来の技術】
従来、光通信システムにおいては、図９に示すように、光ファイバ通信網の局側に設置された終端装置であるＯＬＴ（Ｏｐｔｉｃａｌ　Ｌｉｎｅ　Ｔｅｒｍｉｎａｌ）３がスターカプラ５及び光ファイバを介して、光ファイバ通信網のユーザ側に設置された終端装置であるＯＮＵ４ａ〜４ｎに接続されている。
【０００３】
上記の通信システムについては、ＩＴＵ−Ｔ（Ｉｎｔｅｒｎａｔｉｏｎａｌ　Ｔｅｌｅｃｏｍｍｕｎｉｃａｔｉｏｎ　Ｕｎｉｏｎ−Ｔｅｌｅｃｏｍｍｕｎｉｃａｔｉｏｎ　ｓｔａｎｄａｒｄｉｚａｔｉｏｎ　ｓｅｃｔｏｔ）　Ｇ．９８３に規定されており、予め各ＯＮＵ４ａ〜４ｎに個体番号を設定しておくことで、各ＯＮＵ４ａ〜４ｎの認識を行い、また各ＯＮＵ４ａ〜４ｎまでの距離を正確に把握することが可能となることで信号導通を行っている。
【０００４】
【発明が解決しようとする課題】
上述した従来の光通信システムでは、予め各ＯＮＵに個体番号を設定しているので、個体番号の管理や検査、あるいは誤設定の可能性があり、各ＯＮＵへ予め個体番号を設定する必要がないならば、この問題が発生することはない。
【０００５】
そこで、本発明の目的は上記の問題点を解消し、予め行われる各ＯＮＵへの個体番号の設定を不要とすることができる光通信システム及びそれに用いる個体番号自動変更方法を提供することにある。
【０００６】
【課題を解決するための手段】
本発明による光通信システムは、ＯＬＴ（Ｏｐｔｉｃａｌ　Ｌｉｎｅ　Ｔｅｒｍｉｎａｌ）と複数のＯＮＵ（Ｏｐｔｉｃａｌ　Ｎｅｔｗｏｒｋ　Ｕｎｉｔ）とが光ファイバを介して接続される光通信システムであって、個体番号をランダムに発生する手段と、前記個体番号を前記ＯＬＴに送信する手段とを前記複数のＯＮＵ各々に備えている。
【０００７】
本発明による個体番号自動変更方法は、ＯＬＴ（Ｏｐｔｉｃａｌ　Ｌｉｎｅ　Ｔｅｒｍｉｎａｌ）と複数のＯＮＵ（Ｏｐｔｉｃａｌ　Ｎｅｔｗｏｒｋ　Ｕｎｉｔ）とが光ファイバを介して接続される光通信システムの個体番号自動変更方法であって、個体番号をランダムに発生するステップと、前記個体番号を前記ＯＬＴに送信するステップとを前記複数のＯＮＵ各々に備えている。
【０００８】
すなわち、本発明の光通信システムは、ＩＴＵ−Ｔ　Ｇ．９８３に規定されるＯＬＴ（Ｏｐｔｉｃａｌ　Ｌｉｎｅ　Ｔｅｒｍｉｎａｌ）と複数のＯＮＵ（Ｏｐｔｉｃａｌ　Ｎｅｔｗｏｒｋ　Ｕｎｉｔ）とがスターカプラによって光ファイバで接続されるシステムにおいて、ＯＬＴ及び複数のＯＮＵ各々に個体番号自動変更部を設け、複数のＯＮＵ各々で個体番号を自動的にランダムに発生することによって、予め個体番号を設定することなく、個体番号を設定可能としている。
【０００９】
これによって、本発明の光通信システムでは、個体番号の管理や検査、あるいは誤設定の可能性をなくし、しかも複数のＯＮＵ各々に個体番号を１箇所で専用に付与するよりも、簡便かつ低コストで、しかも複数のＯＮＵ各々の個体番号を管理する部分への負荷を軽減することが可能となる。
【００１０】
【発明の実施の形態】
次に、本発明の実施例について図面を参照して説明する。図１は本発明の一実施例によるＯＬＴ（Ｏｐｔｉｃａｌ　Ｌｉｎｅ　Ｔｅｒｍｉｎａｌ）の構成を示すブロック図である。図１において、ＯＬＴ１は光ファイバ通信網の局側に設置された終端装置であり、ＯＬＴ光送受信部１１と、ＯＬＴ　ＰＯＮ（Ｐａｓｓｉｖｅ　Ｏｐｔｉｃａｌ　Ｎｅｔｗｏｒｋ）制御部１２と、ＯＬＴ個体番号自動変更部１３とから構成されている。
【００１１】
ＯＬＴ光送受信部１１は図示せぬＯＮＵ（Ｏｐｔｉｃａｌ　Ｎｅｔｗｏｒｋ　Ｕｎｉｔ）との光信号の受信及び送信を行う。ＯＬＴＰＯＮ制御部１２はＩＴＵ−Ｔ　Ｇ．９８３の制御を行う。ＯＬＴ個体番号自動変更部１３は各ＯＮＵの個体番号を自動変更するための機能を具備している。
【００１２】
図２は本発明の一実施例によるＯＮＵの構成を示すブロック図である。図２において、ＯＮＵ２は光ファイバ通信網のユーザ側に設置された終端装置であり、ＯＮＵ光送受信部２１と、ＯＮＵ　ＰＯＮ制御部２２と、ＯＮＵ個体番号自動変更部２３とから構成されている。
【００１３】
ＯＮＵ光送受信部２１は図示せぬスターカプラを介してＯＬＴ１との光信号の受信及び送信を行う。ＯＮＵＰＯＮ制御部２２はＩＴＵ−Ｔ　Ｇ．９８３の制御を行う。ＯＮＵ個体番号自動変更部２３は自装置の個体番号を自動変更するための機能を具備している。
【００１４】
尚、本実施例による光通信システムは図９に示すシステムと同様の構成となっており、ＯＬＴ１は図９のＯＬＴ３を対応し、ＯＮＵ２は図９のＯＮＵ４ａ〜４ｎに対応し、それぞれスターカプラ５及び光ファイバを介して相互に接続されている。
【００１５】
図３は図１のＯＬＴ個体番号自動変更部１３の構成を示すブロック図である。図３において、ＯＬＴ個体番号自動変更部１３はＯＬＴ上りメッセージ（Ｍｅｓｓａｇｅ）終端部１３１と、個体番号変更指示部１３２と、ＯＬＴ下りメッセージ生成部１３３と、個体番号認識部１３４と、個体番号保持テーブル部１３５と、記録媒体１３６とから構成されている。記録媒体１３６にはＯＬＴ個体番号自動変更部１３をソフトウェアで実現する際に、コンピュータ（図示せず）で実行されるプログラムが格納されている。
【００１６】
ＯＬＴ上りメッセージ終端部１３１は各ＯＮＵ２からの上りメッセージを終端する。個体番号変更指示部１３２は各ＯＮＵ２に個体番号の自動変更の指示を出す。ＯＬＴ下りメッセージ生成部１３３はＯＮＵ１ａ〜１ｎに下りメッセージを出力する。個体番号認識部１３４は各ＯＮＵ２の個体番号を識別する。個体番号保持テーブル部１３５は各ＯＮＵ２の個体番号の組合せを保持する。
【００１７】
図４は図２のＯＮＵ個体番号自動変更部２３の構成を示すブロック図である。図４において、ＯＮＵ個体番号自動変更部２３はＯＮＵ下りメッセージ終端部２３１と、個体番号自動発生部２３２と、個体番号応答部２３３と、個体番号保持部２３４と、ＯＮＵ上りメッセージ生成部２３５と、記録媒体２３６とから構成されている。記録媒体２３６にはＯＮＵ個体番号自動変更部２３をソフトウェアで実現する際に、コンピュータ（図示せず）で実行されるプログラムが格納されている。
【００１８】
ＯＮＵ下りメッセージ終端部２３１はＯＬＴ１からの下りメッセージを終端する。個体番号自動発生部２３２はＯＬＴ１からの指示に応答して個体番号をランダムに発生させる。個体番号保持部２３４は個体番号自動発生部２３２で発生した個体番号を保持し、個体番号応答部２３３は個体番号保持部２３４にある個体番号をＯＬＴ１に応答する制御を行う。ＯＮＵ上りメッセージ生成部２３５はＯＬＴ１に上りメッセージを出力する。
【００１９】
図５は図１のＯＬＴ個体番号自動変更部１３の動作を示すフローチャートであり、図６は図２のＯＮＵ個体番号自動変更部２３の動作を示すフローチャートである。これら図１〜図６を参照して本発明の一実施例による各ＯＮＵ２への個体番号の設定について説明する。図５に示す処理はコンピュータが記録媒体１３６のプログラムを実行することで、また図６に示す処理はコンピュータが記録媒体２３６のプログラムを実行することでそれぞれ実現される。
【００２０】
ＯＬＴ１と複数のＯＮＵ２とがスターカプラを介して接続されている光通信システム系にて、ＯＬＴ個体番号自動変更部１３の個体番号変更指示部１３２から各ＯＮＵ２の持っている個体番号をバイナリサーチにて取得するための応答指示信号をＯＬＴ下りメッセージ生成部１３３に出力することで、応答指示信号が下りメッセージとして、接続されているすべてのＯＮＵ２へ送信される（図５ステップＳ１）。
【００２１】
各ＯＮＵ２のＯＮＵ個体番号自動変更部２３では、ＯＮＵ下りメッセージ終端部２３１がＯＬＴ１からの応答指示信号を受信すると（図６ステップＳ１１）、個体番号応答部２３３に個体番号を上りメッセージにてＯＬＴ１に応答する指示を出力し、個体番号応答部２６は個体番号保持部２７にて保持している個体番号を読出し、個体番号変更指示部１３２から応答指示のあった個体番号かを認識する（図６ステップＳ１２）。個体番号が一致している場合には自装置の個体番号をＯＮＵ上りメッセージ生成部２３５にてＯＬＴ１へ送信する（図６ステップＳ１３，Ｓ１４）。
【００２２】
ＯＬＴ１のＯＬＴ個体番号自動変更部１３では、ＯＬＴ上りメッセージ終端部１３１にて各ＯＮＵ２から応答された上りメッセージ中の個体番号を認識する（図５ステップＳ２，Ｓ３）。この時、同じ個体番号のものがあると、ＯＬＴ上りメッセージ終端部１３１ではそれを認識することができないが、応答があったことは認識可能であるので、その結果を個体番号変更指示部１３２へ出力する。個体番号変更指示部１３２は下りメッセージにてＯＮＵ２の個体番号の自動変更の指示信号をＯＬＴ下りメッセージ生成部１３３に出力する（図５ステップＳ４）。
【００２３】
各ＯＮＵ２のＯＮＵ個体番号自動変更部２３では、ＯＮＵ下りメッセージ終端部２３１がその指示信号を受信すると（図６ステップＳ１５）、個体番号自動発生部２３２へランダムにて個体番号を生成する指示信号を出力し、個体番号自動発生部２３２が新たな個体番号をランダムに発生する（図６ステップＳ１６）。個体番号自動発生部２３２でランダムに発生された新たな個体番号は個体番号保持部２３４に記録される（図６ステップＳ１７）。
【００２４】
ＯＬＴ１のＯＬＴ個体番号自動変更部１３では、再度、ＯＬＴ個体番号変更指示部１３２から各ＯＮＵ２の持っている個体番号をバイナリサーチにて取得するための応答指示信号をＯＬＴ下りメッセージ生成部１６に出力することで、応答指示信号が下りメッセージとして、接続されているすべてのＯＮＵ２へ送信される（図５ステップＳ１）。
【００２５】
上記の処理を繰返し行うことで、最終的にはすべてのＯＮＵ２に異なる個体番号が自動的に付与されることになる。ＯＬＴ１のＯＬＴ個体番号自動変更部１３では同一個体番号がなくなると（図５ステップＳ５）、個体番号認識部１３４にてすべてのＯＮＵ２の個体番号が認識可能となり、接続されているすべてのＯＮＵ２の個体番号が個体番号保持テーブル部１３５に保持される（図５ステップＳ６）。
【００２６】
これによって、ＯＬＴ１ではＩＴＵ−Ｔ　Ｇ．９８３の制御を行うことが可能となるので、予め各ＯＮＵ２への個体番号の設定が不要となり、ＯＮＵ２の個体番号を設定することができる。
【００２７】
したがって、本実施例では、個体番号の管理や検査、あるいは誤設定の可能性をなくすことができ、しかも複数のＯＮＵ２各々に個体番号を１箇所で専用に付与するよりも、簡便かつ低コストで、しかも複数のＯＮＵ２各々の個体番号を管理する部分への負荷を軽減することができる。
【００２８】
図７は本発明の他の実施例のＯＬＴ個体番号自動変更部の動作を示すフローチャートであり、図８は本発明の他の実施例のＯＮＵ個体番号自動変更部の動作を示すフローチャートである。本発明の他の実施例によるＯＬＴ及びＯＮＵの構成は図１及び図２に示す本発明の一実施例によるＯＬＴ１及びＯＮＵ２の構成と同様である。
【００２９】
よって、図１と図２と図７と図８とを参照して本発明の他の実施例による各ＯＮＵ２への個体番号の設定について説明する。図７に示す処理はコンピュータが記録媒体１３６のプログラムを実行することで、また図８に示す処理はコンピュータが記録媒体２３６のプログラムを実行することでそれぞれ実現される。
【００３０】
本実施例では個体番号自動発生部２３２にて発生可能な個体番号の設定範囲を本システムに接続可能なＯＮＵ２の台数分とし、個体番号変更指示部１３２から現在使用中の個体番号をＯＬＴ下りメッセージ生成部１３３からＯＮＵ２へ送信する（図７ステップＳ２４）。
【００３１】
各ＯＮＵ２のＯＮＵ個体番号自動変更部２３では、ＯＮＵ下りメッセージ終端部２３１にて現在使用中の個体番号の下りメッセージを終端し、個体番号自動発生部２３２にて設定可能な個体番号の中からランダムに個体番号を選択し（図８ステップＳ３６）、個体番号保持部２３４にて新個体番号を保持する（図８ステップＳ３７）。
【００３２】
例えば、ＯＮＵ２が１６台接続するシステムにて、すでに「１」から「１０」までの個体番号を使用している場合、個体番号自動発生部２３２では「１１」から「１６」の個体番号のいずれかの番号をランダムで選択し、個体番号保持部２３４に設定することとなる。
【００３３】
尚、図７のステップＳ２１〜Ｓ２３，Ｓ２５，Ｓ２６の処理は図５のステップＳ１〜Ｓ３，Ｓ５，Ｓ６の処理と同様であり、図８のステップＳ３１〜Ｓ３５の処理は図６のステップＳ１１〜Ｓ１５の処理と同様である。
【００３４】
これによって、本実施例では、各ＯＮＵ２にて生成される個体番号を制限し、使用不可能である個体番号を各ＯＮＵ２へ通知し、それ以外の個体番号を乱数発生させることで、個体番号の管理桁数を少なくすることができる。
【００３５】
【発明の効果】
以上説明したように本発明は、ＯＬＴと複数のＯＮＵとが光ファイバを介して接続される光通信システムにおいて、前記複数のＯＮＵ各々が、個体番号をランダムに発生し、その個体番号をＯＬＴに送信することによって、予め行われる各ＯＮＵへの個体番号の設定を不要とすることができるという効果が得られる。
【図面の簡単な説明】
【図１】本発明の一実施例によるＯＬＴの構成を示すブロック図である。
【図２】本発明の一実施例によるＯＮＵの構成を示すブロック図である。
【図３】図１のＯＬＴ個体番号自動変更部の構成を示すブロック図である。
【図４】図２のＯＮＵ個体番号自動変更部の構成を示すブロック図である。
【図５】図１のＯＬＴ個体番号自動変更部の動作を示すフローチャートである。
【図６】図２のＯＮＵ個体番号自動変更部の動作を示すフローチャートである。
【図７】本発明の他の実施例のＯＬＴ個体番号自動変更部の動作を示すフローチャートである。
【図８】本発明の他の実施例のＯＮＵ個体番号自動変更部の動作を示すフローチャートである。
【図９】従来の光通信システムの構成を示すブロック図である。
【符号の説明】
１　ＯＬＴ
２　ＯＮＵ
１１　ＯＬＴ光送受信部
１２　ＯＬＴ　ＰＯＮ制御部
１３　ＯＬＴ個体番号自動変更部
２１　ＯＮＵ光送受信部
２２　ＯＮＵ　ＰＯＮ制御部
２３　ＯＮＵ個体番号自動変更部
１３１　ＯＬＴ上りメッセージ終端部
１３２　個体番号変更指示部
１３３　ＯＬＴ下りメッセージ生成部
１３４　個体番号認識部
１３５　個体番号保持テーブル部
１３６，２３６　記録媒体
２３１　ＯＮＵ下りメッセージ終端部
２３２　個体番号自動発生部
２３３　個体番号応答部
２３４　個体番号保持部
２３５　ＯＮＵ上りメッセージ生成部
【図１】
2004056237.tif 000003
【図２】
2004056237.tif 000004
【図３】
2004056237.tif 000005
【図４】
2004056237.tif 000006
【図５】
2004056237.tif 000007
【図６】
2004056237.tif 000008
【図７】
2004056237.tif 000009
【図８】
2004056237.tif 000010
【図９】
2004056237.tif 000011